(57)【要約】【課題】利用者の所在状況に影響されず目的地に近づいたことを報知することができる報知システムを提供すること。【解決手段】携帯通信端末装置１０１は、到達目的地を特定する到達目的地情報を送信する。サーバ１０２は、前記到達目的地情報に基づいて記憶している複数の目的地位置情報を検索して前記到達目的地情報に対応した到達目的位置情報を生成して前記携帯通信端末装置１０１に送信する。前記携帯通信端末装置１０１は、前記到達目的位置情報を記憶し、現在位置情報と前記到達目的位置情報に基づいて前記目的地と前記現在地との離間距離を算出して前記離間距離と予め設定された基準距離とを比較して比較結果を生成し報知する。【選択図】      図１
2004279117.tif 000002
【特許請求の範囲】
【請求項１】
携帯通信端末装置と、前記携帯通信端末装置とデータの送受信を行うサーバ手段と、を具備し、
前記携帯通信端末装置は、到達目的地を特定する到達目的地情報を前記サーバ手段に送信する手段を具備し、
前記サーバ手段は、前記到達目的地情報に基づいて記憶している複数の目的地位置情報を検索して前記到達目的地情報に対応した到達目的位置情報を生成して前記携帯通信端末装置に送信する手段を具備し、
前記携帯通信端末装置は、前記到達目的位置情報を記憶する記憶手段と、前記携帯通信端末装置の現在位置情報と前記到達目的位置情報に基づいて前記目的地と前記現在地との離間距離を算出して前記離間距離と予め設定された基準距離とを比較して比較結果を生成し報知する手段と、
を具備することを特徴とする報知システム。
【請求項２】
携帯通信端末装置と、前記携帯通信端末装置にデータを入力するための入力装置と、前記携帯通信端末装置とデータの送受信を行うサーバ手段と、を具備し、
前記入力装置は、到達目的地を特定する到達目的地情報を入力するための到達目的地情報入力手段を具備し、
前記携帯通信端末装置は、前記到達目的地情報を前記サーバ手段に送信する手段を具備し、
前記サーバ手段は、複数の目的地位置情報を記憶している記憶手段と、
前記携帯通信端末装置からの前記到達目的地情報に基づいて前記記憶手段を検索して前記到達目的地情報に対応する前記目的地位置情報を到達目的位置情報として生成し前記携帯通信端末装置に送信する手段と、
を具備し、
前記携帯通信端末装置は、前記サーバ手段からの前記到達目的位置情報を記憶するための他の記憶手段と、
当該携帯通信端末装置の現在地の位置情報を受信し現在位置情報を生成するＧＰＳ受信装置と、
前記到達目的位置情報と前記現在位置情報に基づいて前記目的地と前記現在地との離間距離を算出し離間距離情報を生成する手段と、
予め設定した基準距離情報と前記離間距離情報に基づいて基準距離と前記離間距離とを比較して比較結果を生成する手段と、
前記比較結果により前記離間距離が前記基準距離より小さいことが示されたことを報知する報知手段と、
を具備することを特徴とする報知システム。
【請求項３】
前記入力装置は、前記携帯通信端末装置に一体的に配設されていることを特徴とする請求項２の報知システム。
【請求項４】
前記到達目的地情報入力手段は、前記携帯通信端末装置にデータを与えるＩＣカードで構成され、
前記ＩＣカードは、前記到達目的地情報を記憶するための他の記憶手段を具備し、
前記携帯通信端末装置は、前記ＩＣカードの前記他の記憶手段に記憶されている前記到達目的地情報を取り込むための到達目的地情報取り込み手段を具備することを特徴とする請求項２の報知システム。
【請求項５】
携帯通信端末装置と、前記携帯通信端末装置にデータを入力するための入力装置と、前記携帯通信端末装置とデータの送受信を行うサーバ手段と、を具備する報知システムにおける報知方法であって、
前記入力装置を用いて到達目的地を特定する到達目的地情報を前記携帯通信端末装置に入力するステップと、
前記携帯通信端末装置が前記到達目的地情報をサーバ手段に送信するステップと、
前記サーバ手段が当該サーバ手段に記憶されている複数の目的地位置情報の中から前記到達目的地情報に対応した前記目的地位置情報を検索して到達目的位置情報を生成するステップと、
前記サーバ手段が前記到達目的位置情報を前記携帯通信端末装置に送信するステップと、
前記携帯通信端末装置が備えるＧＰＳ受信装置が当該携帯通信端末装置の現在地の位置情報を受信して現在位置情報を生成するステップと、
前記携帯通信端末装置が前記到達目的位置情報と前記現在位置情報とから前記目的地と前記現在地の離間距離を算出し離間距離情報を生成するステップと、
前記携帯通信端末装置が予め設定した基準距離情報と前記離間距離情報とを比較して比較結果を生成するステップと、
前記比較結果により前記離間距離が前記基準距離より小さいことが示されたことを報知するステップと、
を具備することを特徴とする報知方法。
【請求項６】
入力装置から与えられる到達目的地情報を取り込むための到達目的地情報取り込み手段と、
前記到達目的地情報をサーバ手段に送信する送信手段と、
前記サーバ手段が前記到達目的地情報に基づいて記憶している複数の目的地位置情報を検索して前記到達目的地情報に対応した前記目的地位置情報を到達目的位置情報として生成して送信する前記到達目的位置情報を受信する受信手段と、
前記サーバ手段からの前記到達目的位置情報を記憶するための記憶手段と、
前記携帯通信端末装置の現在地の位置情報を受信して現在位置情報を生成するＧＰＳ受信装置と、
前記到達目的位置情報と前記現在位置情報とに基づいて目的地と前記現在地との離間距離を算出し離間距離情報を生成する手段と、
予め設定した基準距離情報と前記離間距離情報に基づいて基準距離と前記離間距離とを比較して比較結果を生成する手段と、
前記比較結果により前記離間距離が前記基準距離より小さいことが示されたことを報知する報知手段と、
を具備することを特徴とする携帯通信端末装置。
【請求項７】
前記入力装置は、前記携帯通信端末装置に一体的に配設されていることを特徴とする請求項６の携帯通信端末装置。
【請求項８】
前記到達目的地取り込み手段は、前記到達目的地情報が記憶されている前記入力装置としてのＩＣカードから前記到達目的地情報を取り込むための取り込み手段を具備することを特徴とする請求項６の携帯通信端末装置。
【発明の詳細な説明】
【０００１】
【発明の属する技術分野】
本発明は、利用者が目的地に近づいたことを利用者に報知する報知システム及び報知方法に関する。
【０００２】
【従来の技術】
従来、報知システムとしての案内装置が特許文献１に記載されている。この案内装置は、車両に搭載された車載機と、その車両に乗車している利用者の所持している端末機とを具備している。前記車載機は、前記車両が所定の場所に到着した時又はその所定の場所に接近した時に、その所定の場所を特定した信号を送出する。前記端末機は、前記所定の場所を特定したデータを記憶するとともに、前記車載機からその所定の場所を特定した信号を受信した時に、その記憶されている所定場所と照合し、その照合が得られたとき前記利用者に前記所定の場所に到着したこと、又はその所定の場所に接近したことを報知する。
【０００３】
【特許文献１】
特開２０００−２７６６９４号公報
【０００４】
【発明が解決しようとする課題】
しかしながら、上記従来の報知システムにおいては、現在の位置情報を生成し、目的地に近づいたことを判断するのは前記車載機であり、前記端末機の利用者は前記車載機を搭載している車両に乗車している時以外には前記報知システムを使用することができないという問題がある。また、上記従来の報知システムにおいては、前記所定の場所に関する位置情報は各車両に搭載された前記車載機に格納されているため、前記位置情報の入力及び更新の作業は前記各車両毎に行わなければならないという問題がある。
【０００５】
本発明は、かかる点に鑑みてなされたものであり、利用者の所在状況に影響されず目的地に近づいたことを報知することができ、かつ、前記目的地の位置情報の入力及び更新の作業負担を軽減することができる報知システム及び報知方法を提供することを目的とする。
【０００６】
【課題を解決するための手段】
請求項１に係る本発明の報知システムは、携帯通信端末装置と、前記携帯通信端末装置とデータの送受信を行うサーバ手段と、を具備し、前記携帯通信端末装置は、到達目的地を特定する到達目的地情報を前記サーバ手段に送信する手段を具備し、前記サーバ手段は、前記到達目的地情報に基づいて記憶している複数の目的地位置情報を検索して前記到達目的地情報に対応した到達目的位置情報を生成して前記携帯通信端末装置に送信する手段を具備し、前記携帯通信端末装置は、前記到達目的位置情報を記憶する記憶手段と、前記携帯通信端末装置の現在位置情報と前記到達目的位置情報に基づいて前記目的地と前記現在地との離間距離を算出して前記離間距離と予め設定された基準距離とを比較して比較結果を生成し報知する手段と、を具備する構成を採る。
【０００７】
この構成によれば、利用者の所在状況に拘わらず携帯通信端末装置が目的地に近づいたことを判断する手段を備えているため、利用者の所在状況に影響されることなく前記目的地に近づいたことを利用者に報知することができ、かつ、サーバ手段が前記複数の目的地位置情報を一括管理しているため、前記複数の目的地の位置情報の入力及び更新の作業負担を軽減することができる。
【０００８】
請求項２に係る本発明の報知システムは、携帯通信端末装置と、前記携帯通信端末装置にデータを入力するための入力装置と、前記携帯通信端末装置とデータの送受信を行うサーバ手段と、を具備し、前記入力装置は、利用者が目的地を特定する到達目的地情報を入力するための到達目的地情報入力手段を具備し、前記携帯通信端末装置は、前記到達目的地情報を前記サーバ手段に送信する手段を具備し、前記サーバ手段は、複数の目的地位置情報を記憶している記憶手段と、前記携帯通信端末装置からの前記到達目的地情報に基づいて前記記憶手段を検索して前記到達目的地情報に対応する前記目的地位置情報を到達目的位置情報として生成し前記携帯通信端末装置に送信する手段と、を具備し、前記携帯通信端末装置は、前記サーバ手段からの前記到達目的位置情報を記憶するための他の記憶手段と、当該携帯通信端末装置の現在地の位置情報を受信し現在位置情報を生成するＧＰＳ受信装置と、前記到達目的位置情報と前記現在位置情報に基づいて前記目的地と前記現在地との離間距離を算出し離間距離情報を生成する手段と、予め設定した基準距離情報と前記離間距離情報に基づいて基準距離と前記離間距離とを比較して比較結果を生成する手段と、前記比較結果により前記離間距離が前記基準距離より小さいことが示されたことを報知する報知手段と、を具備する構成を採る。
【０００９】
この構成によれば、利用者の所在状況に拘わらず携帯通信端末装置が目的地に近づいたことを判断する手段を備えているため、利用者の所在状況に影響されることなく前記目的地に近づいたことを利用者に報知することができ、かつ、サーバ手段が前記複数の目的地位置情報を一括管理しているため、前記複数の目的地の位置情報の入力及び更新の作業負担を軽減することができる。
【００１０】
請求項３に係る本発明の報知システムは、請求項２に係る発明において、前記入力装置は、前記携帯通信端末装置に一体的に配設されている構成をとる。
【００１１】
この構成によれば、請求項２に係る発明の効果に加えて、持ち運びにスペースを取らないので携帯性に優れる。
【００１２】
請求項４に係る本発明の報知システムは、請求項２に係る発明において、前記到達目的地情報入力手段が前記携帯通信端末装置にデータを与えるＩＣカードで構成され、前記ＩＣカードが前記到達目的地情報を記憶するための他の記憶手段を具備し、前記携帯通信端末装置が前記ＩＣカードの前記他の記憶手段に記憶されている前記到達目的地情報を取り込むための到達目的地情報取り込み手段を具備する構成を採る。
【００１３】
この構成によれば、請求項２に係る発明の効果に加えて、ＩＣカードを用いて携帯通信端末装置に到達目的地情報を入力することにより、利用者の到達目的地情報の入力負担を軽減することができ、かつ、入力時間を短縮することができる。
【００１４】
請求項５に係る本発明の報知方法は、携帯通信端末装置と、前記携帯通信端末装置にデータを入力するための入力装置と、前記携帯通信端末装置とデータの送受信を行うサーバ手段と、を具備する報知システムにおける報知方法であって、前記入力装置を用いて到達目的地を特定する到達目的地情報を前記携帯通信端末装置に入力するステップと、前記携帯通信端末装置が前記到達目的地情報をサーバ手段に送信するステップと、前記サーバ手段が当該サーバ手段に記憶されている複数の目的地位置情報の中から前記到達目的地情報に対応した前記目的地位置情報を検索して到達目的位置情報を生成するステップと、前記サーバ手段が前記到達目的位置情報を前記携帯通信端末装置に送信するステップと、前記携帯通信端末装置が備えるＧＰＳ受信装置が当該携帯通信端末装置の現在地の位置情報を受信して現在位置情報を生成するステップと、前記携帯通信端末装置が前記到達目的位置情報と前記現在位置情報とから前記目的地と前記現在地の離間距離を算出し離間距離情報を生成するステップと、前記携帯通信端末装置が予め設定した基準距離情報と前記離間距離情報とを比較して比較結果を生成するステップと、前記比較結果により前記離間距離が前記基準距離より小さいことが示されたことを報知するステップと、を具備するようにした。
【００１５】
この方法によれば、利用者の所在状況に拘わらず携帯通信端末装置が目的地に近づいたことを判断するため、利用者の所在状況に影響されることなく前記目的地に近づいたことを利用者に報知することができ、かつ、前記携帯通信端末装置は前記複数の目的地位置情報を管理することなくサーバ手段が一括管理するため、前記複数の目的地の位置情報の入力及び更新の作業負担を軽減することができる。
【００１６】
請求項６に係る本発明の携帯通信端末装置は、入力装置から与えられる到達目的地情報を取り込むための到達目的地情報取り込み手段と、前記到達目的地情報をサーバ手段に送信する送信手段と、前記サーバ手段が前記到達目的地情報に基づいて記憶している複数の目的地位置情報を検索して前記到達目的地情報に対応した前記目的地位置情報を到達目的位置情報として生成して送信する前記到達目的位置情報を受信する受信手段と、前記サーバ手段からの前記到達目的位置情報を記憶するための記憶手段と、前記携帯通信端末装置の現在地の位置情報を受信して現在位置情報を生成するＧＰＳ受信装置と、前記到達目的位置情報と前記現在位置情報とに基づいて目的地と前記現在地との離間距離を算出し離間距離情報を生成する手段と、予め設定した基準距離情報と前記離間距離情報に基づいて基準距離と前記離間距離とを比較して比較結果を生成する手段と、前記比較結果により前記離間距離が前記基準距離より小さいことが示されたことを報知する報知手段と、を具備する構成を採る。
【００１７】
この構成によれば、利用者の所在状況に拘わらず携帯通信端末装置が目的地に近づいたことを判断する手段を備えているため、利用者の所在状況に影響されることなく前記目的地に近づいたことを利用者に報知することができ、かつ、前記携帯通信端末装置は前記複数の目的地位置情報を管理することなくサーバ手段が一括管理するため、前記複数の目的地の位置情報の入力及び更新の作業負担を軽減することができる。
【００１８】
請求項７に係る本発明の携帯通信端末装置は、請求項６に係る発明において、前記入力装置は前記携帯通信端末装置に一体的に配設されている構成をとる。
【００１９】
この構成によれば、請求項６に係る発明の効果に加えて、持ち運びにスペースを取らないので携帯性に優れる。
【００２０】
請求項８に係る本発明の携帯通信端末装置は、請求項６に係る発明において、前記到達目的地取り込み手段が、前記到達目的地情報が記憶されている前記入力装置としてのＩＣカードから前記到達目的地情報を取り込むための取り込み手段を具備する構成を採る。
【００２１】
この構成によれば、請求項６に係る発明の効果に加えて、ＩＣカードを用いて携帯通信端末装置に到達目的地情報を入力することにより利用者の到達目的地情報の入力負担を軽減することができ、かつ、入力時間を短縮することができる。
【００２２】
【発明の実施の形態】
本発明の骨子は、携帯通信端末装置が送信する到達目的地情報に応答してサーバ手段から通知される到達目的位置情報と現在位置情報とから目的地と現在地の離間距離を算出し、予め定められた基準距離と前記離間距離との比較結果を生成して報知することである。
【００２３】
以下、本発明の実施の形態について、図面を参照して詳細に説明する。
【００２４】
（実施の形態１）
図１は、本発明の実施の形態１に係る報知システムの構成を示す模式図である。図２は、本発明の実施の形態１に係る報知システムの携帯通信端末装置の構成を示すブロック図である。図３は、本発明の実施の形態１に係る報知システムのサーバの構成図を示すブロック図である。
【００２５】
図１に示すように、本発明の実施の形態１に係る報知システム１００は、携帯通信端末装置１０１、サーバ１０２、ネットワーク１０３及び無線基地局１０４を備えている。携帯通信端末装置１０１は利用者１０５に携帯されている。利用者１０５は、車両（例えばバス）１０６に乗っている。
【００２６】
携帯通信端末装置１０１は、無線基地局１０４と無線により情報の送受信をすることができ、かつ、複数のＧＰＳ衛星１０７（１つのみが図示されている）から携帯通信端末装置１０１の現在地の情報を受信することができる。無線基地局１０４は、サーバ１０２とネットワーク１０３を介して情報の送受信をすることができる。
【００２７】
図２に示すように、携帯通信端末装置１０１は、無線送信装置２０１、無線受信装置２０２、ＧＰＳ受信装置２０３、制御装置２０４、記憶装置２０５、距離算出装置２０６、比較装置２０７、報知装置２０８、入力装置２０９及び基準距離設定装置２１０を備えている。
【００２８】
入力装置２０９の出力端子は、無線送信装置２０１の入力端子と接続されている。無線受信装置２０２の出力端子は、記憶装置２０５の入力端子と接続されている。記憶装置２０５の出力端子は、距離算出装置２０６の入力端子と接続されている。ＧＰＳ受信装置２０３は、複数のＧＰＳ衛星１０７（図１）から発信される携帯通信端末装置１０１の現在地の位置情報を無線により受信している。ＧＰＳ受信装置２０３の出力端子は、距離算出装置２０６の入力端子に接続されている。距離算出装置２０６の出力端子は、比較装置２０７の入力端子に接続されている。比較装置２０７は、基準距離情報を記憶する記憶部を備えている。比較装置２０７の入力端子は、基準距離設定装置２１０の出力端子と接続されている。比較装置２０７の出力端子は、報知装置２０８の入力端子と接続されている。無線送信装置２０１の出力端子は、無線基地局１０４と無線により接続されている。無線受信装置２０２の入力端子は、無線基地局１０４と無線により接続されている。制御装置２０４は、無線送信装置２０１、無線受信装置２０２、ＧＰＳ受信装置２０３、記憶装置２０５、距離算出装置２０６、比較装置２０７、報知装置２０８、入力装置２０９及び基準距離設定装置２１０に接続されている。
【００２９】
入力装置２０９は、利用者１０５が到達目的地情報などを入力するためのものであり、入力される到達目的地情報を受けて無線送信装置２０１に与える。無線送信装置２０１は、入力装置２０９から受ける到達目的地情報を無線基地局１０４とネットワーク１０３とを介してサーバ１０２へ送信する。無線受信装置２０２は、サーバ１０２からネットワーク１０３と無線基地局１０４とを介して受信する到達目的位置情報を記憶装置２０５に与える。記憶装置２０５は、無線受信装置２０２から受ける到達目的位置情報を記憶し、到達目的位置情報を距離算出装置２０６に与える。ＧＰＳ受信装置２０３は、携帯通信端末装置１０１の現在地の位置情報を複数のＧＰＳ衛星１０７から受信し現在位置情報を生成し、現在位置情報を距離算出装置２０６に与える。距離算出装置２０６は、ＧＰＳ受信装置２０３から受ける現在位置情報と記憶装置２０５から受ける到達目的位置情報とから目的地と現在地の離間距離を算出し比較装置２０７に与える。
【００３０】
比較装置２０７は、距離算出装置２０６から受ける目的地と現在地との離間距離と比較装置２０７が備える記憶部に記憶されている基準距離情報が示す基準距離との比較を行い、比較の結果により、離間距離が基準距離より小さいことを示されている時には作動信号を生成して報知装置２０８に与える。基準距離設定装置２１０は、利用者１０５により比較装置２０７が備える記憶部に記憶される基準距離情報を比較装置２０７に設定する。報知装置２０８は、例えば、液晶ディスプレイ、スピーカ又はモータを利用した振動装置で構成され、作動信号を比較装置２０７から受けて作動する。制御装置２０４は、無線送信装置２０１、無線受信装置２０２、ＧＰＳ受信装置２０３、記憶装置２０５、距離算出装置２０６、比較装置２０７、報知装置２０８、入力装置２０９及び基準距離設定装置２１０を制御する。
【００３１】
図３に示すように、サーバ１０２は、受信装置３０１、送信装置３０２、記憶装置３０３、検索装置３０４、制御装置３０５及び入力装置３０６を備えている。
【００３２】
受信装置３０１の入力端子は、無線基地局１０４とネットワーク１０３を介して接続されている（図１）。受信装置３０１の出力端子は、検索装置３０４の入力端子と接続されている。記憶装置３０３の入力端子は、入力装置３０６の出力端子と接続されている。記憶装置３０３の出力端子は、検索装置３０４の入力端子と接続されている。検索装置３０４の出力端子は、送信装置３０２の入力端子及び記憶装置３０３の入力端子と接続されている。送信装置３０２の出力端子は、無線基地局１０４とネットワーク１０３を介して接続されている。制御装置３０５は、受信装置３０１、送信装置３０２、記憶装置３０３、検索装置３０４及び入力装置３０６に接続されている。
【００３３】
受信装置３０１は、無線送信装置２０１から無線基地局１０４とネットワーク１０３とを介して到達目的地情報を受信し、検索装置３０４に与える。入力装置３０６は、システム管理者が目的地位置情報を入力するためのものであり、入力される目的地位置情報を受けて記憶装置３０３に与える。記憶装置３０３は、入力装置３０６から入力される目的地位置情報を記憶し、検索装置３０４に与える。検索装置３０４は、受信装置３０１から受けた到達目的地情報に基づいて記憶装置３０３に格納されている目的地位置情報を検索し、到達目的位置情報として送信装置３０２に与える。送信装置３０２は、検索装置３０４から受ける到達目的位置情報をネットワーク１０３と無線基地局１０４を介して携帯通信端末装置１０１の無線受信装置２０２（図２）へ送信する。制御装置３０５は、受信装置３０１、送信装置３０２、記憶装置３０３、検索装置３０４及び入力装置３０６を制御する。
【００３４】
無線基地局１０４は、無線送信装置２０１から出力される到達目的地情報を受けてサーバ１０２の受信装置３０１に与え、かつ、サーバ１０２の送信装置３０２から出力される到達目的位置情報を受けて携帯通信端末装置１０１の無線受信装置２０２に与える。
【００３５】
次に、利用者が携帯通信端末装置１０１の入力装置２０９から到達目的地情報を入力してから、携帯通信端末装置１０１の報知装置２０８が作動するまでの動作について図１から図３と共に図４を参照して説明する。ここで、図４は、本発明の実施の形態１に係る報知システムの動作を説明するためのフロー図である。
【００３６】
利用者が、到達目的地情報を携帯通信端末装置１０１の入力装置２０９を用いて入力する（ステップＳＴ４０１）。入力装置２０９は到達目的地情報を無線送信装置２０１に与えて、無線送信装置２０１は到達目的地情報をネットワーク１０３と無線基地局１０４とを介してサーバ１０２の受信装置３０１へ送信する（ステップＳＴ４０２）。サーバ１０２の受信装置３０１は到達目的地情報を受信する（ステップＳＴ４０３）。受信装置３０１は到達目的地情報を検索装置３０４に与えて、検索装置３０４は到達目的地情報に基づいて記憶装置３０３に記憶された目的地位置情報を検索して到達目的位置情報を生成する（ステップＳＴ４０４）。
検索装置３０４は到達目的位置情報を送信装置３０２に与えて、送信装置３０２は到達目的位置情報をネットワーク１０３と無線基地局１０４とを介して携帯通信端末装置１０１の無線受信装置２０２へ送信する（ステップＳＴ４０５）。無線受信装置２０２は到達目的位置情報を受信する（ステップＳＴ４０６）。無線受信装置２０２は到達目的位置情報を記憶装置２０５に与えて、記憶装置２０５は到達目的位置情報を記憶する（ステップＳＴ４０７）。
制御装置２０４は、一定時間毎にＧＰＳ受信装置２０３から現在位置情報を取得する（ステップＳＴ４０８）。距離算出装置２０６は、記憶装置２０５に記憶した到達目的位置情報と制御装置２０４が取得した現在位置情報とを読み込んで現在位置情報と到達目的位置情報とから現在地と目的地との離間距離を算出する（ステップＳＴ４０９）。比較装置２０７は、離間距離と比較装置２０７が備える記憶部に記憶されている基準距離とを比較する（ステップＳＴ４１０）。ステップＳＴ４１０において離間距離が基準距離より大きいことを示されている時にはステップＳＴ４０８に戻る。離間距離が基準距離より小さいことを示されている時には作動信号を報知装置２０８に与えて、利用者１０５が目的地に近づいたことを利用者１０５に報知する（ステップＳＴ４１１）。
【００３７】
なお、本発明の実施の形態１に係る報知システムは、サーバ１０２と無線基地局１０４とを直接に接続させるように構成しても良い。また、本発明の実施の形態１において、入力装置２０９は携帯通信端末装置１０１に一体に配設されてもよく、また、携帯通信端末装置１０１と分離して構成しても良い。入力装置２０９が携帯通信端末装置１０１に一体に配設される構成をとることにより、分離して構成されるものより携帯性に優れる。
【００３８】
本発明の実施の形態１によれば、利用者の所在状況に拘わらず携帯通信端末装置か目的地に近づいたことを判断する手段を備えているため、利用者の所在状況に影響されず目的地に近づいたことを報知することができ、かつ、目的地位置情報をサーバに一括管理することにより前記目的地位置情報の入力及び更新の作業負担を軽減する報知システムを提供することできる。また、本発明の実施の形態１によれば、無線基地局１０４が複数ある場合でもサーバ１０２と無線基地局１０４とを既存のインフラであるネットワーク１０３を介して接続することにより安価にシステムを構成できる。
【００３９】
（実施の形態２）
図５は、本発明の実施の形態２に係る報知システムの構成を示す模式図である。図６は、本発明の実施の形態２に係る報知システムの携帯通信端末装置の構成を示すブロック図である。図７は、本発明の実施の形態２に係る報知システムの非接触式ＩＣカードの構成を示すブロック図である。本発明の実施の形態２においては、本発明の実施の形態１と同じ構成要素には同じ参照符号が付されて、その説明が省略される。
【００４０】
次に、本発明の実施の形態１と異なる本発明の実施の形態２について図面を参照して説明する。
【００４１】
図５に示すように、本発明の実施の形態２に係る報知システム５００は、携帯通信端末装置５０１、非接触式ＩＣカード５０２、サーバ１０２、ネットワーク１０３及び無線基地局１０４を備えている。携帯通信端末装置５０１及び非接触式ＩＣカード５０２は、利用者１０５が携帯している。非接触式ＩＣカード５０２は、例えばバスや電車の定期券又は切符として活用されており、予め到達目的地情報を記憶している。携帯通信端末装置５０１は、非接触式ＩＣカード５０２から到達目的地情報を読み取ることができる。
【００４２】
図６に示すように、携帯通信端末装置５０１は、無線送信装置２０１、無線受信装置２０２、ＧＰＳ受信装置２０３、制御装置２０４、記憶装置２０５、距離算出装置２０６、比較装置２０７、報知装置２０８、基準距離設定装置２１０、読み取り用受信装置６０１及び読み出し用電波送信装置６０２を備えている。
【００４３】
読み取り用受信装置６０１は、無線により非接触式ＩＣカード５０２からデータを受信する。読み取り用受信装置６０１の出力端子は、記憶装置２０５の入力端子と接続されている。記憶装置２０５の出力端子は、無線送信装置２０１の入力端子と接続されている。
【００４４】
読み出し用電波送信装置６０２は、電波を発信して非接触式ＩＣカード５０２に与える。読み取り用受信装置６０１は、電波を受けることにより非接触式ＩＣカード５０２の送受信共用器７０１から送信される到達目的地情報を受けて無線送信装置２０１に与える。制御装置２０４は、無線送信装置２０１、無線受信装置２０２、ＧＰＳ受信装置２０３、記憶装置２０５、距離算出装置２０６、比較装置２０７、報知装置２０８、基準距離設定装置２１０、読み取り用受信装置６０１及び読み出し用電波送信装置６０２を制御する。
【００４５】
図７に示すように、非接触式ＩＣカード５０２は、送受信共用器７０１、直流電力生成装置７０２、制御装置７０３、メモリ装置７０４、選択装置７０５及び無線送信装置７０６を備えている。
【００４６】
送受信共用器７０１は、携帯通信端末装置５０１の読み出し用電波送信装置６０２から誘起電力の発生に寄与する電波を受信し、かつ、携帯通信端末装置５０１の読み取り用受信装置６０１へ到達目的地情報を送信する。送受信共用器７０１の出力端子は、直流電力生成装置７０２の入力端子と接続されている。直流電力生成装置７０２の出力は、制御装置７０３、メモリ装置７０４、選択装置７０５及び無線送信装置７０６の入力と接続されている。制御装置７０３の出力端子は、メモリ装置７０４及び無線送信装置７０６の入力端子と接続されている。メモリ装置７０４の出力端子は、制御装置７０３の入力端子と接続されている。選択装置７０５の出力端子は、制御装置７０３の入力端子と接続されている。無線送信装置７０６の出力端子は、送受信共用器７０１の入力端子に接続されている。
【００４７】
送受信共用器７０１は、携帯通信端末装置５０１の読み出し用電波送信装置６０２が発信する電波を受信して誘起交流電力を発生させて直流電力生成装置７０２に与える。直流電力生成装置７０２は、送受信共用器７０１から受ける誘起交流電力を直流電力にして制御装置７０３、メモリ装置７０４、選択装置７０５及び無線送信装置７０６に与える。選択装置７０５は、メモリ装置７０４に記憶された複数の到達目的地情報の中から１つの到達目的地情報を選択するための選択情報を制御装置７０３に与える。制御装置７０３は、選択情報に対応した到達目的地情報をメモリ装置７０４から読み出す。制御装置７０３は、取り込んだ到達目的地情報を無線送信装置７０６に与える。無線送信装置７０６は、制御装置７０３から受けた到達目的地情報を送受信共用器７０１に与える。送受信共用器７０１は、無線送信装置７０６から受けた到達目的地情報を無線により携帯通信端末装置５０１の読み取り用受信装置６０１に送信する。
【００４８】
次に、利用者が携帯通信端末装置５０１の読み取り用受信装置６０１より非接触式ＩＣカードに記憶されている到達目的地情報を入力してから、携帯通信端末装置５０１の報知装置１０８が作動するまでの動作について、本発明の実施の形態１の動作を示す図４と異なる部分について図６と図７と共に図８を参照して説明する。ここで、図８は、本発明の実施の形態２に係る報知システムの作動原理を説明するフロー図である。
【００４９】
携帯通信端末装置５０１の読み出し用電波送信装置６０２は電波を発信し、非接触式ＩＣカード５０２の送受信共用器７０１は読み出し用電波送信装置６０２が発信する電波を受信して誘起交流電力を発生する。（ステップＳＴ８０１）。直流電力生成装置７０２は、送受信共用器７０１で誘起された誘起交流電力を直流電力に変換して制御装置７０３、メモリ装置７０４、選択装置７０５及び無線送信装置７０６に供給する（ステップＳＴ８０２）。選択装置７０５は、メモリ装置７０４に記憶された複数の到達目的地情報の中から１つの到達目的地情報を選択するための選択情報を制御装置７０３に与えて到達目的地情報を選択する（ステップＳＴ８０３）。制御装置７０３は、選択情報に対応した到達目的地情報をメモリ装置７０４から読み出して無線送信装置７０６に入力する（ステップＳＴ８０４）。
無線送信装置７０６は制御装置７０３から受けた到達目的地情報を送受信共用器７０１に与える。送受信共用器７０１は無線送信装置７０６から受けた到達目的地情報を無線により携帯通信端末装置５０１の読み取り用受信装置６０１へ受け渡す（ステップＳＴ８０５）。読み取り用受信装置６０１は、到達目的地情報を送受信共用器７０１から受け取る（ステップＳＴ８０６）。読み取り用受信装置６０１は記憶装置２０５に到達目的地情報を与え、記憶装置２０５が一度記憶した後に無線送信装置２０１に与えて、無線送信装置２０１は到達目的地情報をネットワーク１０３と無線基地局１０４とを介してサーバ１０２の受信装置３０１へ送信する（ステップＳＴ８０７）。
ステップＳＴ８０７より後の動作ステップは実施の形態１に係る報知システムの動作を説明する図４におけるステップＳＴ４０３からステップＳＴ４１１までと同様である。
【００５０】
なお、本発明の実施の形態２に係る報知システムは、サーバ１０２と無線基地局１０４とを直接に接続させるように構成しても良い。また、本発明の実施の形態２において、携帯通信端末装置５０１に到達目的地情報を入力する到達目的地情報入力手段は、接触式ＩＣカードで構成してもよい。また、前記到達目的地情報入力手段は、磁気的又は光学的に記録媒体に情報を記録し前記記録媒体から磁気的手段又は光学的手段により到達目的地情報を取り出して電気的情報を生成し携帯通信端末装置５０１に与えるように構成してもよい。
【００５１】
本発明の実施の形態２によれば、利用者の所在状況に拘わらず携帯通信端末装置が目的地に近づいたことを判断する手段を備えているため、利用者の所在状況に影響されず目的地に近づいたことを報知することができ、かつ、目的地位置情報をサーバ１０２が一括管理することにより前記目的地位置情報の入力及び更新の作業負担を軽減する報知システムを提供することできる。また、本発明の実施の形態２によれば、無線基地局１０４が複数ある場合でもサーバ１０２と無線基地局１０４とを既存のインフラであるネットワーク１０３を介して接続することにより安価にシステムを構成できる。さらに、非接触式ＩＣカード５０２を用いて携帯通信端末装置５０１に到達目的地情報を入力することにより利用者の到達目的地情報の入力負担を軽減することができ、かつ、入力時間を短縮することができる。
【００５２】
【発明の効果】
以上説明したように、本発明によれば、利用者の所在状況に影響されず目的地に近づいたことを報知することができ、かつ、目的地位置情報をサーバ手段が一括管理することにより前記目的地位置情報の入力及び更新の作業負担を軽減する報知システムを提供することできる。
【図面の簡単な説明】
【図１】本発明の実施の形態１に係る報知システムの構成を示す模式図
【図２】本発明の実施の形態１に係る報知システムの携帯通信端末装置の構成を示すブロック図
【図３】本発明の実施の形態１に係る報知システムのサーバの構成を示すブロック図
【図４】本発明の実施の形態１に係る報知システムの動作を説明するためのフロー図
【図５】本発明の実施の形態２に係る報知システムの構成の概略を示す模式図
【図６】本発明の実施の形態２に係る報知システムの携帯通信端末装置の構成を示すブロック図
【図７】本発明の実施の形態２に係る報知システムの非接触式ＩＣカードの構成を示すブロック図
【図８】本発明の実施の形態２に係る報知システムの作動原理を説明するフロー図
【符号の説明】
１０１  携帯通信端末装置
１０２  サーバ
１０３  ネットワーク
１０４  無線基地局
１０５  利用者
１０６  車両
１０７  ＧＰＳ衛星
２０１  無線送信装置
２０２  無線受信装置
２０３  ＧＰＳ受信装置
２０４  制御装置
２０５  記憶装置
２０６  距離算出装置
２０７  比較装置
２０８  報知装置
２０９  入力装置
２１０  基準距離設定装置
３０１  受信装置
３０２  送信装置
３０３  記憶装置
３０４  検索装置
３０５  制御装置
３０６  入力装置
５０１  携帯通信端末装置
５０２  非接触式ＩＣカード
６０１  読み取り用受信装置
６０２  読み出し用電波送信装置
７０１  送受信共用器
７０２  直流電力生成装置
７０３  制御装置
７０４  メモリ装置
７０５  選択装置
７０６  無線送信装置
【図１】
2004279117.tif 000003
【図２】
2004279117.tif 000004
【図３】
2004279117.tif 000005
【図４】
2004279117.tif 000006
【図５】
2004279117.tif 000007
【図６】
2004279117.tif 000008
【図７】
2004279117.tif 000009
【図８】
2004279117.tif 000010